(57)【特許請求の範囲】
【請求項１】
土留めパネルの互いに隣接する境目の近くにピン孔が形成され、境目を挟んだ２つのピン孔にまたがって、連結金具の２本の連結ピンが挿入され、抜け止めが施されて土留めパネルの連結が行われる前記連結金具において、Ｈ型断面を有しＨ型の上の溝と下の溝に隣接する土留めパネルの端部が挿入される連結金具本体と、連結金具本体のＨ型の上下左右の４辺に開けられ土留めパネルのピン孔に連通するピン孔と、連結金具本体および土留めパネルのピン孔に挿通される連結ピンと、連結ピンに設けられた頭と、連結金具本体のピン孔の近接位置に設けられた突起と、突起に形成されたピン通し孔と、ピン通し孔に通されて固定された状態で前記連結ピンの頭を抑えて抜け止めを行う抜け止めピンと、を有することを特徴とする土留めパネルの連結金具。
【請求項２】
前記突起は円柱状を有し、前記抜け止めピンは、略β型を有する松葉ピンであることを特徴とする請求項１記載の土留めパネルの連結金具。
【請求項３】
前記連結金具本体の前記突起間で、2 本の前記連結ピンの頭を抑える抜け止めピンのうち、下側の抜け止めピンの上方端部の直上に抜け止めピン脱落防止カバー体を設けたことを特徴とする請求項１又は２記載の土留めパネルの連結金具。
【発明の詳細な説明】
【０００１】
【発明の属する技術分野】
この発明は、例えば掘削した溝の両内壁を支えるための土留めパネル同士を互いに連結するための連結金具に関する。
【０００２】
【従来の技術】
従来、掘削した溝などの両内壁を土留めする場合には、多数枚の土留めパネルを、枠状の部材を用いて隣接させ、連結金具を用いて連結する。すなわち、土留めパネルの両端を保持し上下方向にスライドさせることができるスライドレールと、この両内壁に設けられる一対のスライドレール同士の間に設けられ土圧を受け止める切り梁とが一体になった枠状の部材を、溝のなが手方向に沿って複数箇所で溝の中に建て込み、その後、スライドレールに沿って複数のパネルを上から下へスライドさせて押し込んで、隣接させていく。
【０００３】
このようにして上下方向に隣接する土留めパネルのみの斜視図を図６に示す。図に示すように、各土留めパネル１には、上下に隣接する他の土留めパネル１との境目３の付近にピン孔５が形成されている（図６（Ａ））。
【０００４】
境目３を挟んだ２つのピン孔５にまたがって、連結金具７の連結金具本体９（図６（Ｂ））に設けられた２本の連結ピン１１が貫通され、土留めパネル１の外側で押さえ板１３の２つのピン孔１５に貫通される。各連結ピン１１の先端にはピン通し孔１７が設けられ、松葉ピン１９が通されることで、抜け止めが施される。連結ピン１１の先端を押さえたピン孔１５に通した後、抜け止めを施す。
【０００５】
【発明が解決しようとする課題】
しかしながら、前記従来の連結金具７は次のような課題を有している。
（１）連結金具７の取り付けは、土留めパネル１の内側と外側で行わねばならず、少なくとも２人で作業を行わねばならなかった。
【０００６】
（２）また、土留めパネル１の外側が地山側に密着している状態では松葉ピン１９を通すことはできず、したがって連結金具１の取り付けは不可能であった。したがって、土留めパネル１をワイヤーなどで吊り下げたまま、スライドレールに沿ってスライドし押し込む前に、作業を行わねばならず、作業が面倒であった。
【０００７】
（３）連結金具７を、正しい取り付けではないが、押さえ板１３や松葉ピン１９を用いずに簡略な取り付けを行う場合があるが、その場合には連結金具本体９が略コの字の状態で土留めパネル１のピン孔５に挿入されているだけであり、コの字の両端に力を受けることとなって大きな力が加わり、強度不足のため変形を生ずることがある。
【０００８】
この発明は、以上の問題点を解決するためになされたもので、一人で取り付け作業ができ、土留めパネルが地山側に密着していても作業が行え、松葉ピン等を用いない簡略な取り付けであっても十分な強度を有し、部品点数が少ない土留めパネルの連結金具を提供することを目的とする。
【０００９】
【課題を解決するための手段】
以上の目的を達成するために、第１の発明は、土留めパネルの互いに隣接する境目にピン孔が形成され、境目を挟んだ２つのピン孔にまたがって、連結金具の２本の連結ピンが挿入され、抜け止めが施されて土留めパネルの連結が行われる前記連結金具において、Ｈ型断面を有しＨ型の上の溝と下の溝に隣接する土留めパネルの端部が挿入される連結金具本体と、連結金具本体のＨ型の上下左右の４辺に開けられ土留めパネルのピン孔に連通するピン孔と、連結金具本体および土留めパネルのピン孔に挿通される連結ピンと、連結ピンに設けられた頭と、連結金具本体のピン孔の近接位置に設けられた突起と、突起に形成されたピン通し孔と、ピン通し孔に通されて固定された状態で前記連結ピンの頭を抑えて抜け止めを行う抜け止めピンと、を有することを特徴とする土留めパネルの連結金具である。
【００１０】
また、第２の発明は、更に、前記突起は円柱状を有し、前記抜け止めピンは、略β型を有する松葉ピンであることを特徴とする土留めパネルの連結金具である。
【００１１】
また、第３の発明は、前記連結金具本体の前記突起間で、2 本の前記連結ピンの頭を抑える抜け止めピンのうち、下側の抜け止めピンの上方端部の直上に抜け止めピン脱落防止カバー体を設けたことを特徴とする土留めパネルの連結金具である。
【００１２】
【発明の実施の形態】
この発明の一実施形態を、図１乃至図４において説明する。
図２、図３に示すように、地面を掘削した溝２１に対し、上下方向に長い柱様の一対のスライドレール２３を水平方向に伸びる一対の切り梁２５が接続した枠状の部材２７を、溝２１の長さ方向に沿って複数箇所に建て込む（図２（Ａ））。
【００１３】
隣り合う枠状の部材２７の間で、各スライドレール２３に対し、土留めパネル１の両端を保持させ、上から下へスライドさせて土留めパネル１を押し込む（図２（Ｂ））。このようにして土留めを行った後、更に掘削を行い、再び枠状の部材２７及び土留めパネル１を押し込む（図２（Ｂ））。
【００１４】
また、新たな土留めパネル１をスライドさせ下方の土留めパネル１の上に隣接させ連結する（図２（Ｃ））。このようにして掘削を続けながら、溝２１の深部まで土留めを行うことができる。
図１（Ａ）に示すように、土留めパネル１は上下方向に互いに隣接する。この隣接する境目３の近くにピン孔５が形成される。
【００１５】
連結金具７は、図１（Ｂ）に示すように連結金具本体３１、連結ピン３３、及び抜け止めピンである松葉ピン３５からなる。
【００１６】
このうち図１（Ｂ）、図４に示すように、連結金具本体３１は、Ｈ型断面を有し、Ｈ型の上の溝３７と下の溝３９に、隣接する土留めパネル１の下端部１Ａと上端部１Ｂを挿入させる。このＨ型の上下左右の４辺には、ピン孔４１が開けられる。このピン孔４１は、前記土留めパネル１のピン孔５に連通する位置に設けられる。
【００１７】
また、連結金具本体３１には、各ピン孔４１の近接位置にそれぞれ突起４３が設けられ、この突起４３にはピン通し孔４５が形成される。ピン通し孔４５は、軸が前記ピン孔４１の軸に直交する方向を向いている。
【００１８】
連結ピン３３は、前記ピン孔４１に挿通され得る径を有し、端部に平らな頭４７を有する。また、抜け止めピンは、略β型を有する松葉ピン３５である。
【００１９】
（取り付け作業）
以下、この実施形態における連結金具の取り付け作業を説明する。
まず、既に連結された下側の土留めパネル１に対し、上側の土留めパネル１をスライドレール２３に沿って下方にスライドさせる前に、連結金具本体３１を取り付ける。
【００２０】
すなわち、Ｈ型の下の溝３９に下側の土留めパネル１の上端１Ｂを嵌合させ、その後にＨ型の上の溝３７に、上方からスライドしてくる上側の土留めパネル１の下端１Ａを挿入させる。
【００２１】
その後、上側の土留めパネル１を下側の土留めパネル１に完全に隣接させる。そして、掘削された溝２１の内側から、２本の連結ピン３３を、それぞれ連結金具本体３１のピン孔４１、土留めパネル１のピン孔５、及び連結金具本体３１の反対側のピン孔４１に挿通する。
【００２２】
次に、抜け止めピンである松葉ピン３５の真っ直ぐな部分３５Ａを、突起４３のピン通し孔４５へ通す。強い力で通すと、略β型の２つの湾曲部分３５Ｂ、３５Ｃのうち最初の湾曲部分３５Ｂに円柱状の突起４３が嵌合し、これにより松葉ピン３５は固定する。固定した松葉ピン３５のもう一つの湾曲部分３５Ｃは、連結ピン３３の頭４７の部分に位置し、この頭４７を押さえて連結ピン３３の抜け止めを行うことができる。
【００２３】
（実施形態の効果）
以上の実施形態によれば、連結ピン３３の挿通と、松葉ピン３５による抜け止めの作業は、溝２１の内側から一人で行うことができる。したがって、土留めパネル１の外側が地山側に密着している状態であっても、容易に作業が行える。
【００２４】
更に、連結ピン３３や松葉ピン３５を取り付けない状態であっても、連結金具本体３１はＨ型の上下の溝３７、３９にそれぞれ上下の土留めパネル１を嵌合しており、Ｈ型断面は十分に大きな強度を有することが可能であり、強度不足から来る変形を防止することが可能である。
【００２５】
また、従来の連結金具は土留めパネル１が溝２１の深部に押し込まれた状態では取り付け作業が不可能であったが、この実施形態の連結金具７によれば、連結金具本体３１の取り付けは、既に連結された土留めパネル１の上に上側の土留めパネル１が接近する直前であっても行うことができ、また、連結ピン３３の挿通と松葉ピン３５による抜け止めの作業は、溝２１の内側のみから行え、したがって溝２１の深部で行うことが可能である。
【００２６】
（他の実施形態）
他の実施形態として、図５及び図１（Ｂ）に示すように、前記連結金具本体３１の前記突起４３の間で、上下２本ある連結ピン３３のうち、下側の連結ピン３３の頭４７を抑える抜け止めピン３５の先端が上方に向いている直上に抜け止めピン脱落防止用カバー体４９を設けることにより、パネル１の引き抜き時において、埋戻し土砂による下方に働く力から抜け止めピン３５が抜けるのを防止する効果を持たせたものである。
【００２７】
以上の実施形態においては抜け止めピンは松葉ピン３５であったが、他の実施形態においては必ずしも松葉ピン３５である必要はなく、ピン通し孔４５に通されることで固定されるピンであればどのようなものでも構わない。
【００２８】
【発明の効果】
以上説明したように、第一、第二または第三の発明によれば、連結金具本体のＨ型の上下の溝に土留めパネルの端部を挿入させ、連結ピンをピン孔に挿通し、ピン通し孔に抜け止めピンを通す一連の作業は、すべて土留めパネルの内側から一人で行うことができ、土留めパネルの外側が地山側に密着していても作業が行え、仮に連結ピンや抜け止めピンを用いない簡略な取り付けであっても、Ｈ型断面の連結金具本体が十分な強度を発揮し変形などを防止できる。
【図面の簡単な説明】
【図１】この発明の一実施形態に係る連結金具によって、土留めパネルが連結された状態を示すもので、
（Ａ）は全体斜視図、
（Ｂ）は（Ａ）の連結金具を示すＢ部拡大図である。
【図２】（Ａ）（Ｂ）（Ｃ）は図１の土留めパネルを用いた土留め工法の作業手順を示すものである。
【図３】図２の要部を詳しく説明する斜視図である。
【図４】図１（Ｂ）の連結金具を構成する各部品を示すもので、
（Ａ）は連結金具本体の正面図、
（Ｂ）は（Ａ）の側面図、
（Ｃ）は（Ａ）のＣ−Ｃ断面図、
（Ｄ）は連結ピンを軸方向から見た図、
（Ｅ）は（Ｄ）の側面図、
（Ｆ）は抜け止めピンを示す図である。
【図５】この発明の他の実施形態に係わる形状を示すもので、（Ａ）は連結金具本体の正面図、（Ｂ）は（Ａ）の側面図、（Ｃ）は（Ａ）のｄ―ｄ断面図である。
【図６】従来技術を示すもので、
（Ａ）は従来技術の連結金具によって連結された土留めパネルの斜視図、
（Ｂ）は（Ａ）の連結金具の分解斜視図である。
【符号の説明】
１  土留めパネル                ５  ピン孔
２３  スライドレール            ２５  切り梁
３１  連結金具本体              ３３  連結ピン
３５  抜け止めピン（松葉ピン）  ３７  上の溝
３９  下の溝                    ４１  ピン孔
４３  突起                      ４５  ピン通し孔
４７  頭                        ４９  抜け止めピン脱落防止用カバー体
【図１】
0003834139.tif 000002
【図２】
0003834139.tif 000003
【図３】
0003834139.tif 000004
【図４】
0003834139.tif 000005
【図５】
0003834139.tif 000006
【図６】
0003834139.tif 000007